(57)【要約】【課題】悪戯によって排水栓の持ち去りを防止するために栓軸部の係合孔と作動レバーの先端部とを係合させる構造となした排水栓装置においてもヘアキャッチャーを設けることを可能となし、且つ排水栓やヘアキャッチャー等の清掃を簡単に行うことのできる排水栓装置を提供する。【解決手段】排水筒１２と、排水栓３４と、栓軸部３６とを有する排水栓装置において、排水栓３４を栓軸部３６と別体として排水栓３４と栓軸部３６の上端部とを連結機構７２にて相対回転可能に連結する。その連結機構７２は鍵と鍵穴との関係によって排水栓３４を栓軸部３６に対して所定の回転位置で離脱可能とし、それ以外の回転位置では互いを係合状態として排水栓３４を離脱不能とするようになしておく。【選択図】        図１
2008025276.tif 000002
【特許請求の範囲】
【請求項１】
内側に排水の流路を形成する排水筒と、上下移動により該排水筒の排水口を開閉する排水栓と、該排水栓の下面から下方に延びた栓軸部と、を有する排水栓装置において
前記排水栓を前記栓軸部と別体として該排水栓と該栓軸部の上端部とを連結機構にて相対回転可能に連結し、該連結機構は、互いに相対回転する該排水栓と栓軸部との一方を他方に対して所定の相対回転位置で離脱可能とし、それ以外の相対回転位置では互いを係合状態として離脱不能とするものとなしてあることを特徴とする排水栓装置。
【請求項２】
内側に排水の流路を形成する排水筒と、上下移動により該排水筒の排水口を開閉する排水栓と、該排水栓の下面から下方に延びた栓軸部と、を有する排水栓装置において
前記排水栓の下側で前記栓軸部に、複数の上下に貫通した通水孔を有するヘアキャッチャーを連結機構にて相対回転可能に連結し、該連結機構は、互いに相対回転する該ヘアキャッチャーと栓軸部との一方を他方に対して所定の相対回転位置で離脱可能とし、それ以外の相対回転位置では互いを係合状態として離脱不能とするものとなしてあることを特徴とする排水栓装置。
【請求項３】
請求項２において、前記栓軸部が前記排水栓と前記ヘアキャッチャーとを連結する上部と、該ヘアキャッチャーの下側の下部とに軸方向に分割されており、該上部が排水栓及びヘアキャッチャーと一体に回転するものとなしてあることを特徴とする排水栓装置。
【請求項４】
内側に排水の流路を形成する排水筒と、上下移動により該排水筒の排水口を開閉する排水栓と、該排水栓の下面から下方に延びた栓軸部と、を有する排水栓装置において
前記栓軸部を上方の第１軸部と下方の第２軸部とに分割して、それら第１軸部及び第２軸部を連結機構にて互いに相対回転可能に連結し、該連結機構は、互いに相対回転する該第１軸部と第２軸部との一方を他方に対して所定の相対回転位置で離脱可能とし、それ以外の相対回転位置では互いを係合状態として離脱不能とするものとなしてあることを特徴とする排水栓装置。
【請求項５】
請求項１〜４の何れかにおいて、前記連結機構は、前記一方の側に設けられて径方向に突出する係合突部と、前記他方に設けられて前記所定の相対回転位置以外の回転位置では該係合突部に対して軸方向に係合して該係合突部を離脱不能となす係合部、該所定の相対回転位置では該係合突部を軸方向に通過可能として係合解除する通過孔、及び該係合部の軸方向の奥部で該係合突部を回転可能に収容する回転空間を備えていることを特徴とする排水栓装置。
【請求項６】
請求項１〜４の何れかにおいて、前記栓軸部には貫通の係合孔が設けられていて、該係合孔に作動レバーの先端部を挿入して係合させ、該作動レバーの先端部を上向きに移動させることによって該栓軸部を介して前記排水栓を上昇移動させて開くようになしてあることを特徴とする排水栓装置。
【発明の詳細な説明】
【技術分野】
【０００１】
この発明は洗面器や手洗器等の底部に設けられる排水栓装置に関する。
【背景技術】
【０００２】
洗面器や手洗器の底部に設置される排水栓装置として、内側に排水の流路を形成する排水筒と、上下移動により排水筒の排水口を開閉する排水栓と、排水栓の下面より下方に延びた栓軸部とを有し、そしてその栓軸部に設けた貫通の係合孔に作動レバーの先端部を挿入して係合させ、作動レバーの先端部を上向きに移動させることによって栓軸部を介して排水栓を上昇移動させて開くようになした排水栓装置が従来公知である。
この種排水栓装置は、主として公共施設の手洗器等に広く設けられており、この場合排水栓装置には複数の通水孔を有するヘアキャッチャーは特に設けられていない。
【０００３】
一般の家庭用の洗面器や手洗器等の排水栓装置にあっては、作動レバーの先端部に栓軸部の下端を当接させ、作動レバーの先端部の上昇移動により栓軸部を介して排水栓を持ち上げて（上昇移動させて）排水栓を開き、排水口を開放するようになしており、この場合、排水栓は栓軸部とともに排水口から上方に取出可能である。
従って排水栓或いは内側に排水路を形成する排水筒内面の清掃等のメンテナンスを容易に行うことができ、従ってまた排水栓の下側において栓軸部に複数の通水孔を有するヘアキャッチャーを設けておくこともできる。
このようなヘアキャッチャーを設けておいても、そこに毛髪やごみ等が溜まったときに、容易にその清掃等のメンテナンス作業を行うことができる。
【０００４】
これに対して公共施設の洗面器や手洗器等に設置される排水栓装置の場合、排水栓を排水口から取出可能となしておくと、悪戯によって排水栓が持ち去られてしまう恐れがある。
そこで公共施設の手洗器等に設置される排水栓装置にあっては、排水栓を排水口から取出しできないようになしてある。
【０００５】
詳しくは、公共施設の手洗器等に設置される排水栓装置にあっては、上記のように栓軸部に貫通の係合孔を設けて、そこに作動レバーの先端部を挿入し、係合させるようになしている。
この場合、排水栓は作動レバーの先端部の上下移動によって一定距離上下移動、即ち開閉可能であるものの、係合孔と作動レバーの先端部との係合によって排水口からは取出不能である。
【０００６】
図６は公共施設の手洗器等に設置される上記の排水栓装置の一例を具体的に示している。
図６において、２００は内側に排水路２０２を形成する排水筒で、上端に排水口２０４を備えている。
２０６は排水口２０４を開閉する排水栓で、その下面から栓軸部２０８が延び出している。
この栓軸部２０８の下端部には、正面形状が円形の貫通の係合孔２１０が設けられており、そこに作動レバー（キックレバー）２１２の先端部２１６が挿入されて係合孔２１０に係合されている。
【０００７】
ここで作動レバー２１２には軸方向所定箇所にボール部２１４が設けられており、作動レバー２１２は同部分を支点として図中上下方向に回動可能である。
尚排水栓２０６の下側には断面形状が十字状をなすガイド部２１５が排水栓２０６及び栓軸部２０８に一体に設けられており、このガイド部２１５が排水筒２００の内面を摺動することで排水栓２０６の上下移動の際の案内が行われる。
【０００８】
この排水栓装置にあっては、手洗器の上面の水栓等に設けた押ボタン式の操作部を下向きに押込操作すると、作動レバー２１２の図中右端部が下向きに押されて、反対側の先端部２１６が上向きに移動し、これにより栓軸部２０８を介して排水栓２０６が上方に押し上げられて（上昇移動して）排水口２０４を開放する。
また操作部を引き上げると作動レバー２１２の図中右端部が上向きに、また逆の先端部２１６が下向きに移動して、栓軸部２０８を介して排水栓２０６が下降移動して排水口２０４を閉鎖する。
【０００９】
この図６に示す排水栓装置の場合、作動レバー２１２の回動によって排水栓２０６を押し上げて開いた状態の下でも、栓軸部２０８の係合孔２１０と作動レバー２１２の先端部２１６とは係合したままであり、従って排水栓２０６は排水口２０４から取り出すことができず、排水栓２０６が悪戯によって持ち去られてしまうのを防止することができる。
【００１０】
一方でこの排水栓装置の場合、排水栓２０６が排水口２０４から取出不能な構造となっていることから、清掃等のメンテナンスを行うときに排水栓装置自体を分解しなければならず、清掃等のメンテナンス作業のために多大な時間と労力を要する問題がある。
更にこの排水栓装置の場合、その構造上の問題から複数の通水孔を有するヘアキャッチャーも設けられていない。
【００１１】
しかしながら公共施設の手洗器等に設置される排水栓装置にあってもヘアキャッチャーを設けることの要請があり、また排水栓装置の清掃等のメンテナンス作業を簡単且つ容易に行えるようにすることも求められていた。
本発明はこのような問題点を解決することを狙いとするものである。
尚本願発明に対する先行技術として下記特許文献１に開示されたものがあるが、このものは本発明の問題点を解決することができない。
【００１２】
【特許文献１】実開昭４８−２４７５３号公報
【発明の開示】
【発明が解決しようとする課題】
【００１３】
本発明は以上のような事情を背景とし、悪戯によって排水栓の持ち去りを防止するために栓軸部の係合孔と作動レバーの先端部とを係合させる構造となした排水栓装置においてもヘアキャッチャーを設けることを可能となし、且つ排水栓やヘアキャッチャー等の清掃等のメンテナンスを簡単に行うことのできる排水栓装置を提供することを目的としてなされたものである。
【課題を解決するための手段】
【００１４】
而して請求項１のものは、内側に排水の流路を形成する排水筒と、上下移動により該排水筒の排水口を開閉する排水栓と、該排水栓の下面から下方に延びた栓軸部と、を有する排水栓装置において、前記排水栓を前記栓軸部と別体として該排水栓と該栓軸部の上端部とを連結機構にて相対回転可能に連結し、該連結機構は、互いに相対回転する該排水栓と栓軸部との一方を他方に対して所定の相対回転位置で離脱可能とし、それ以外の相対回転位置では互いを係合状態として離脱不能とするものとなしてあることを特徴とする。
【００１５】
請求項２のものは、内側に排水の流路を形成する排水筒と、上下移動により該排水筒の排水口を開閉する排水栓と、該排水栓の下面から下方に延びた栓軸部と、を有する排水栓装置において、前記排水栓の下側で前記栓軸部に、複数の上下に貫通した通水孔を有するヘアキャッチャーを連結機構にて相対回転可能に連結し、該連結機構は、互いに相対回転する該ヘアキャッチャーと栓軸部との一方を他方に対して所定の相対回転位置で離脱可能とし、それ以外の相対回転位置では互いを係合状態として離脱不能とするものとなしてあることを特徴とする。
【００１６】
請求項３のものは、請求項２において、前記栓軸部が前記排水栓と前記ヘアキャッチャーとを連結する上部と、該ヘアキャッチャーの下側の下部とに軸方向に分割されており、該上部が排水栓及びヘアキャッチャーと一体に回転するものとなしてあることを特徴とする。
【００１７】
請求項４のものは、内側に排水の流路を形成する排水筒と、上下移動により該排水筒の排水口を開閉する排水栓と、該排水栓の下面から下方に延びた栓軸部と、を有する排水栓装置において、前記栓軸部を上方の第１軸部と下方の第２軸部とに分割して、それら第１軸部及び第２軸部を連結機構にて互いに相対回転可能に連結し、該連結機構は、互いに相対回転する該第１軸部と第２軸部との一方を他方に対して所定の相対回転位置で離脱可能とし、それ以外の相対回転位置では互いを係合状態として離脱不能とするものとなしてあることを特徴とする。
【００１８】
請求項５のものは、請求項１〜４の何れかにおいて、前記連結機構は、前記一方の側に設けられて径方向に突出する係合突部と、前記他方に設けられて前記所定の相対回転位置以外の回転位置では該係合突部に対して軸方向に係合して該係合突部を離脱不能となす係合部、該所定の相対回転位置では該係合突部を軸方向に通過可能として係合解除する通過孔、及び該係合部の軸方向の奥部で該係合突部を回転可能に収容する回転空間を備えていることを特徴とする。
【００１９】
請求項６のものは、請求項１〜４の何れかにおいて、前記栓軸部には貫通の係合孔が設けられていて、該係合孔に作動レバーの先端部を挿入して係合させ、該作動レバーの先端部を上向きに移動させることによって該栓軸部を介して前記排水栓を上昇移動させて開くようになしてあることを特徴とする。
【発明の作用・効果】
【００２０】
以上のように請求項１のものは、排水栓を栓軸部と別体としてこれを栓軸部の上端部に連結機構にて相対回転可能に連結し、そしてその連結機構を、互いに相対回転する排水栓と栓軸部との一方を他方に対して所定の相対回転位置で離脱可能とし、それ以外の相対回転位置では互いを係合状態として離脱不能となしたもので、本発明では、排水栓は通常の状態では栓軸部に対し係合状態にあってこれを取り外すことはできず、従って本発明の排水栓装置を公共施設の排水栓装置に適用した場合において、悪戯により排水栓が単独で取り外されて持ち去られるのを防止することができる。
【００２１】
一方で清掃等のメンテナンスが必要となったとき、単に排水栓を所定の相対回転位置に持ち来すことで容易に排水栓を栓軸部から離脱させて排水口から取り出すことができる。
これにより排水栓を取出状態で容易に清掃することができる。
また排水栓を取り出すことによって排水筒内部、詳しくは排水栓下側の部分の清掃を行うことができ、また排水栓の下側にヘアキャッチャーが設けられている場合には、そのヘアキャッチャーを排水栓の取り出しにより露出させ得てその清掃を行うことが可能となる。
【００２２】
次に請求項２は、排水栓の下側で栓軸部にヘアキャッチャーを設けた場合において、そのヘアキャッチャーを連結機構にて栓軸部に相対回転可能に連結し、そしてその連結機構を、互いに相対回転する栓軸部とヘアキャッチャーとの一方を他方に対して所定の相対回転位置で離脱可能とし、それ以外の相対回転位置では互いを係合状態として離脱不能とするようになしたもので、この請求項２によれば、ヘアキャッチャーを所定の回転位置に持ち来すことで栓軸部から取り外すことができる。
【００２３】
この場合において、栓軸部を排水栓とヘアキャッチャーとを連結する上部と、ヘアキャッチャーの下側の下部とに軸方向に分割して、その上部を排水栓及びヘアキャッチャーと一体に、栓軸部の下部に対して相対回転可能となしておくことができる（請求項３）。
このようにしておいた場合、排水栓を回転操作することで、栓軸部の上部を介してヘアキャッチャーを回転させることができ、これによりヘアキャッチャーを排水栓及び栓軸部の上部とともに排水口から外部に取り出すことができ、ヘアキャッチャー及びこれと併せて排水栓を丸洗いする等、清掃等のメンテナンスを容易に行うことができる。
またヘアキャッチャーを排水筒内から取り出すことで、排水筒内側のより深くまで清掃を行うことができる。
【００２４】
次に請求項４は、栓軸部を上方の第１軸部と下方の第２軸部とに分割して、それら軸部同士を連結機構にて互いに相対回転可能に連結し、そしてその連結機構を、互いに相対回転する第１軸部と第２軸部との一方を他方に対して所定の相対回転位置で離脱可能とし、それ以外の相対回転位置では互いを係合状態として離脱不能とするようになしたもので、この請求項４によれば、第１軸部を所定の回転位置に持ち来すことで少なくとも排水栓を排水口から取り出して清掃等のメンテナンス作業を行うことができる。
【００２５】
この場合において栓軸部を排水栓とその下側に設けたヘアキャッチャーとの間の中間部で第１軸部と第２軸部とに分割した場合には、排水栓をヘアキャッチャーと分離して外部に取り出すことができ、また栓軸部をヘアキャッチャーの下側部分で第１軸部と第２軸部とに分割した場合には、ヘアキャッチャーを排水栓と共に排水口から外部に取り出して清掃作業することができる。
【００２６】
この請求項４によれば、連結機構を排水栓やヘアキャッチャーにまたがって設けなくても良く、即ちそれら排水栓やヘアキャッチャーに連結機構を設けるためのスペースを確保しておかなくても良く、これにより排水栓やヘアキャッチャーの厚みを薄く構成し得るなど、そのデザイン性を高めることができる。
【００２７】
本発明において上記連結機構は、互いに相対回転可能となしたものの上記一方の側に設けられて径方向に突出する係合突部と、他方に設けられて上記所定の相対回転位置以外の回転位置では係合突部に対して軸方向に係合して係合突部を離脱不能となす係合部、その所定の相対回転位置では係合突部を軸方向に通過可能として係合解除する通過孔、及び係合部の軸方向奥部で係合突部を回転可能に収容する回転空間を備えたものとなしておくことができる（請求項５）。
このようにすることで、所定の相対回転位置で連結を解除し、またそれ以外の回転位置では連結を保持する連結機構を簡単に構成することができる。
【００２８】
本発明は、栓軸部が取出不能とされている排水栓装置、特に栓軸部に貫通の係合孔を設けて、そこに作動レバーの先端部を挿入して係合させ、その作動レバーの先端部を上向きに移動させることで栓軸部を介して排水栓を上昇移動させ開くようになした排水栓装置に適用して特に好適なものである（請求項６）。
【発明を実施するための最良の形態】
【００２９】
次に本発明の実施形態を図面に基づいて詳しく説明する。
図１において、１０はポップアップ式排水栓装置（以下単に排水栓装置とする）の本体部で、排水筒１２を有している。
排水筒１２は上部排水筒１２Ａと下部排水筒１２Ｂとに分かれており、その下部排水筒１２Ｂの上端内周面に形成された雌ねじが、上部排水筒１２Ａの下部外周面に形成された雄ねじにねじ結合されている。
尚１４はリングナットである。
ここで下部排水筒１２Ｂには管状の枝部１６が一体に構成されている。
排水筒１２は内部に排水路１８を有しており、またその上端には手洗器等の鉢部２０の底部で開口する排水口２２が備えられている。
【００３０】
２４は上部排水筒１２Ａの下部外周面の雄ねじに螺合された固定ナットで、この固定ナット２４を上向きにねじ込むことで、上部排水筒１２Ａの上端のフランジ部２６と板状の挟持部材２８とが鉢部２０の底部を上下両側からパッキン３０，３２を介して挟み込む状態に排水筒１２が鉢部２０の底部に固定される。
【００３１】
３４は排水口２２を開放し或いは閉鎖する排水栓で、その下面から栓軸部３６が下向きに延び出している。
この栓軸部３６の下端部には、貫通の且つ円形の係合孔４０が設けられており、そこに作動レバー４２の先端部５０が挿入されて、それらが上下方向に互いに係合させられている。
【００３２】
作動レバー（キックレバー）４２には、両軸端の間の部位にボール部４４が設けられており、このボール部４４が枝部１６にねじ結合されたハウジング４６の内部に収容されている。ここでボール部４４はスプリング４８によって図中左向きに付勢されている。
ここで作動レバー４２の先端部５０（図中左端部）は、上記のように栓軸部３６の係合孔４０に挿入されて係合せしめられている。
【００３３】
この実施形態では、作動レバー４２の図中右端部に作動的に連結された操作部を図１に示す状態で下向きに押込操作すると、作動レバー４２がボール部４４を支点として図中時計方向に回動し、その先端部５０を上向きに移動させる。
これにより排水栓３４が栓軸部３６を介して押し上げられて（上昇移動させられて）開き、排水口２２を開放する。
またこの状態で操作部を引上操作すると、作動レバー４２がボール部４４を支点として図中反時計方向に回動し、先端部５０を下降移動させる。ここにおいて排水栓３４が下降移動して排水口２２を閉鎖する。
【００３４】
上記栓軸部３６には、排水栓３４の下側、詳しくは栓軸部３６の略上下中間位置にヘアキャッチャー６２が栓軸部３６と一体に即ち排水栓３４と一体に上下移動する状態で栓軸部３６に固定的に設けられている。
このヘアキャッチャー６２の下側には、図２に示すようにガイド部６４がヘアキャッチャー６２と一体に構成されている。
これらヘアキャッチャー６２及びガイド部６４にはその中心部に中心筒５４が備えられている。この中心筒５４の内側には挿通孔５６が形成され、そこに栓軸部３６がそれらと一体に上下移動する状態で挿通されている。
【００３５】
ヘアキャッチャー６２は、中心筒５４とリング状の外周部６６との間に放射状に延びる板状の仕切りを有しており、それら仕切りの間に上下に貫通の複数の通水孔６８が形成されている。
一方下部のガイド部６４は、中心筒５４から横断面形状が十字状をなすように延びる複数のガイド片７０を有しており、これらガイド片７０の外周端が図１の排水筒１２の内面に対し上下に摺動して、ヘアキャッチャー６２，栓軸部３６及び排水栓３４の上下の移動時の案内をなすようになっている。
【００３６】
本実施形態において、上記排水栓３４は栓軸部３６とは別体に構成されていて、かかる排水栓３４が栓軸部３６の上端部に対し連結機構７２にて相対回転可能に連結されている。
ここで連結機構７２は、栓軸部３６の上端部に設けられて径方向に突出し、栓軸部３６の上端部とともに鍵形状をなす係合突部７４と、排水栓３４に設けられて栓軸部３６の上端部を係合突部７４とともに挿入させる鍵穴状の挿入穴７５を有している。
詳しくは排水栓３４側には、係合突部７４に対し軸方向上向き、つまり排水栓３４の取出方向に係合する係合部７６（係合部７６は後述の通過孔７８を除いてほぼ全周に亘って設けられている）及び排水栓３４を所定の相対回転位置に位置させたときに、係合突部７４を軸方向に、即ち排水栓３４の取出方向に通過させる、係合突部７４に対応した形状の通過孔７８、更に係合部７６の上側位置に、係合突部７４を相対回転させる回転空間８０が設けられている。
【００３７】
上記連結機構７２は、それら係合突部７４と係合部７６，通過孔７８及び回転空間８０を備えて構成されている。
尚、栓軸部３６の上端部には段付部８２が設けられており、排水栓３４は、この段付部８２にてその下面を回転可能に支持されている。
但し栓軸部３６の上端面にて排水栓３４を回転可能に支持するようになしておいても良い。
【００３８】
図３は本実施形態の排水栓装置の作用を表している。
図３（Ｉ）は、作動レバー４２を図中時計方向に回動させて、その先端部５０により排水栓３４を栓軸部３６を介して押し上げ、開いた状態を表している。
この状態で排水栓３４をつかんでこれを取り出そうとしても、排水栓３４は連結機構７２にて栓軸部３６に連結されているため、排水栓３４を取り出すことはできない。
【００３９】
一方この状態で図３（II）に示すように排水栓３４を回転させ、そして栓軸部３６の上端部に設けた係合突部７４と通過孔７８が回転方向において一致する位置まで排水栓３４を持ち来すと、この状態では係合突部７４が通過孔７８を通過可能となり、従って図３（III）に示すようにこの状態で排水栓３４を上に持ち上げると、連結機構７２による排水栓３４と栓軸部３６との連結が外れて、排水栓３４が単独で栓軸部３６から分離して取り出される。
【００４０】
以上のような本実施形態の排水栓装置では、排水栓３４は通常の状態では栓軸部３６に対し係合状態にあって、これを取り外すことはできず、従ってこの排水栓装置を公共施設の排水栓装置に適用した場合において、悪戯により排水栓３４が単独で取り外されて持ち去られるのを防止することができる。
【００４１】
一方で清掃等のメンテナンスが必要となったとき、単に排水栓３４を所定の相対回転位置に持ち来すことで容易に排水栓３４を栓軸部３６から離脱させて排水口２２から取り出すことができる。
これにより排水栓３４を取出状態で容易に清掃することができる。
また排水栓３４を取り出すことによって排水筒１２内部、詳しくは排水栓３４下側の部分の清掃を行うことができ、また排水栓３４の取り出しによりヘアキャッチャー６２が排水筒１２内で露出するため、これを清掃することが可能となる。
【００４２】
尚、この実施形態では排水栓３４の側に係合部７６，通過孔７８及び回転空間８０が設けられ、栓軸部３６の側に係合突部７４が設けられているが、それらの位置関係を逆とすること、即ち排水栓３４の側に係合突部７４を、また栓軸部３６の側に係合部７６，通過孔７８及び回転空間８０を設けるといったことも場合により可能である。
これら位置関係を逆転させて構成することが可能である点は以下の各実施形態においても同様である。
【００４３】
次に図４は本発明の他の実施形態を示している。
この実施形態は、栓軸部３６を、排水栓３４とヘアキャッチャー６２とを連結してそれらと一体に回転する上部３６-１と、ヘアキャッチャー６２の下側の下部３６-２とに軸方向に２分割し、そして下部３６-２の上端部とヘアキャッチャー６２とにまたがって、上記連結機構７２を設けた例である。
【００４４】
尚この実施形態では、ヘアキャッチャー６２がその下側のガイド部６４に対して別体構造とされ、且つかかるヘアキャッチャー６２が栓軸部３６における下部３６-２及びこれと一体のガイド部６４に対し回転可能とされている。
そしてこの回転可能なヘアキャッチャー６２と、栓軸部３６における下部３６-２の上端部とにまたがって連結機構７２が設けられ、かかる連結機構７２にてヘアキャッチャー６２が下部３６-２の上端部に対して回転可能に連結されている。
この実施形態では、係合突部７４が栓軸部３６における下部３６-２の上端部に設けられ、また係合部７６，通過孔７８，回転空間８０がヘアキャッチャー６２の側に設けられている。
【００４５】
この実施形態の排水栓装置では、排水栓３４を回転操作することで、栓軸部３６の上部３６-１を介してヘアキャッチャー６２を回転させることができる。そこでヘアキャッチャー６２を所定の回転位置に持ち来すことで、ヘアキャッチャー６２を排水栓３４とともに排水口２２から外部に取り出すことができ、それらの清掃等のメンテナンスを行うことができる。
またヘアキャッチャー６２を排水筒１２内から取り出すことで、排水筒１２内のより深くまで清掃を行うことが可能となる。
【００４６】
図５は本発明のさらに他の実施形態を示している。
この実施形態は、排水栓３４とその下側のヘアキャッチャー６２との間の中間部において栓軸部３６を上方の第１軸部３６-３と下方の第２軸部３６-４とに分割し、そしてそれらを上記連結機構７２にて連結した例であり、排水栓３４と一体化された第１軸部３６-１が、第２軸部３６-２に対して回転可能に連結されている。
この実施形態では、係合突部７４が第２軸部３６-４に設けられ、また係合部７６，通過孔７８，回転空間８０が第１軸部３６-３に設けられている。
【００４７】
この実施形態では、上記各実施形態と同様に通常の状態では排水栓２４を取り出すことはできないが、排水栓３４を回転操作して第１軸部３６-３を所定の回転位置に持ち来すことで、排水栓３４を排水口２２から取り出すことができ、その清掃を行うことができる。
またその下側のヘアキャッチャー６２を排水筒１２内で露出させて、その清掃を行うことが可能となる。
この実施形態では、連結機構７２を排水栓３４やヘアキャッチャー６２に跨って設けていないため、即ちそれら排水栓３４やヘアキャッチャー６２に連結機構７２を設けるためのスペースを確保しておかなくても良いため、排水栓３４やヘアキャッチャー６２の厚みを薄く構成し得るなど、そのデザイン性を高めることができる。
【００４８】
尚この実施形態では、栓軸部３６が排水栓３４とヘアキャッチャー６２との間で軸方向に分割されて、それらが連結機構７２にて連結されているが、栓軸部３６をヘアキャッチャー６２の下側で上方の第１軸部と下方の第２軸部とに分割して、それらを連結機構７２にて相対回転可能に連結することも可能である。
この場合には、排水栓３４とともにヘアキャッチャー６２を所定の回転位置に持ち来すことで、それらを排水口２２から外部へと取り出し、その清掃を行うことが可能となる。
【００４９】
以上本発明の実施形態を詳述したがこれらはあくまで一例示であり、本発明はその趣旨を逸脱しない範囲において種々変更を加えた形態で構成可能である。
【図面の簡単な説明】
【００５０】
【図１】本発明の一実施形態である排水栓装置を示した図である。
【図２】同実施形態における排水栓及びヘアキャッチャーの拡大斜視図である。
【図３】同実施形態の排水栓装置の作用を表した図である。
【図４】本発明の他の実施形態である排水栓装置を示した図である。
【図５】本発明の更に他の実施形態である排水栓装置を示した図である。
【図６】従来の排水栓装置の一例を表した図である。
【符号の説明】
【００５１】
１０  （ポップアップ式）排水栓装置の本体部
１２  排水筒
２２  排水口
３４  排水栓
３６  栓軸部
３６-１  上部
３６-２  下部
３６-３  第１軸部
３６-４  第２軸部
４０  係合孔
４２  作動レバー
５０  先端部
６２  ヘアキャッチャー
６８  通水孔
７２  連結機構
７４  係合突部
７６  係合部
７８  通過孔
８０  回転空間
【図１】
2008025276.tif 000003
【図２】
2008025276.tif 000004
【図３】
2008025276.tif 000005
【図４】
2008025276.tif 000006
【図５】
2008025276.tif 000007
【図６】
2008025276.tif 000008